(57)【要約】      （修正有）【課題】一対のスコアの破断初期においてはシェルが変形してもライナーは実質上変形しないが、第二の境界を越えて一対のスコアの破断が進行すると、ライナーはシェルから剥離されることなくシェルの変形に応じて上方に変形される容器蓋を提供する。【解決手段】シェルの天面壁８に第二の境界に沿って延在する折り曲げ誘発手段４２を配設する。【選択図】図１
2008174266.tif 000002
【特許請求の範囲】
【請求項１】
円筒状口頸部を有し、該口頸部の外周面には係止突条が形成されている容器本体のための易開封性容器蓋にして、
円形天面壁、該天面壁の周縁から垂下するスカート壁及び該スカート壁の下端から延出する把持片を含み、該天面壁及び該スカート壁と共に該把持片の少なくとも基部は金属薄板から一体に形成されており、該把持片の両側から該スカート壁を上方に延びる第一の部分と該第一の部分に続いて該天面壁の周縁部を延びる第二の部分とを有する一対のスコアが形成されているシェルと、該シェルの該天面壁の内面上で合成樹脂素材を型押成形することによって形成され、外周縁は該一対のスコアの該第二の部分よりも半径方向外側に位置する円板状ライナーとから構成され、
該シェルの該天面壁の該内面と該ライナーとは、該一対のスコアの該第二の部分乃至これより幾分半径方向内側に位置する部位を該一対のスコアの該第二の部分に沿って延在する一対の第一の境界から半径方向外側の領域において非接着乃至弱接着状態であると共に、該一対のスコアの破断進行方向に見て、容器本体の口頸部の中心よりも上流側において該一対の第一の境界間を延在する第二の境界よりも上流側において非接着乃至弱接着状態であり、その他の領域では接着状態であり、
該シェルの該天面壁には該第二の境界に沿って延在する折り曲げ誘発手段が配設されている、
ことを特徴とする易開封性容器蓋。
【請求項２】
該第二の境界は、該一対のスコアの破断進行方向に見て、容器本体の口頸部の内周面よりも下流側において該一対の境界間を延在する、請求項１記載の易開封容器蓋。
【請求項３】
該折り曲げ誘発手段は弦状に連続して延びるスコアから構成されている請求項１又は２記載の易開封性容器蓋。
【請求項４】
該折り曲げ誘発手段は弦状に連続して延びる凹条又は凸条から構成されている、請求項１から３までのいずれかに記載の易開封性容器蓋。
【請求項５】
該折り曲げ誘発手段は間隔をおいて弦状に配列された複数個の凹部又は凸部から構成されている、請求項１から３までのいずれかに記載の易開封性容器蓋。
【請求項６】
該折り曲げ誘発手段は弦状に連続して延びる屈折部から構成されている、請求項１から３までのいずれかに記載の易開封容器蓋。
【発明の詳細な説明】
【技術分野】
【０００１】
本発明は、少なくとも大部分は金属薄板から形成されたシェルと合成樹脂製ライナーとから構成された易開封性容器蓋に関する。
【背景技術】
【０００２】
飲料用の容器として、円筒状口頸部を有し、この口頸部の外周面には係止突条が形成されている容器本体と、容器本体の口頸部に装着され口頸部を密封する易開封性容器蓋との組み合わせが広く実用に供されている。容器本体はガラス、金属薄板或いは合成樹脂から形成することができる。容器蓋はシェルとライナーとから構成されている。シェルは、円形天面壁、この天面壁の周縁から垂下する円筒状スカート壁及びスカート壁の下端から延出する把持片を含み、天面壁及びスカート壁と共に把持片の少なくとも基部は金属薄板から一体に形成されている。シェルには、把持片の両側からスカート壁を上方に延びる第一の部分とこの第一の部分に続いて天面壁の周縁部を延びる第二の部分とを有する一対のスコアが形成されている。ライナーは、シェルの天面壁の内面上で合成樹脂素材を型押成形することによって形成され、外周縁は一対のスコアの第二の部分よりも半径方向外方に位置する円板状である。かような易開封性容器蓋の典型例は下記特許文献１に開示されている。
【０００３】
上述したとおりの容器蓋は、容器本体の口頸部に被嵌しスカート壁の下部を半径方向内側に変形して口頸部の係止突条に係止することによって容器本体の口頸部に装着され、容器本体の口頸部を密封する。容器本体の口頸部を開封する際には、シェルの把持片を引っ張ってシェルの一対のスコアを破断して、容器本体の口頸部に対するシェルの係止を解除し、容器本体の口頸部から容器蓋を離脱する。
【特許文献１】特開平１１−１１５９３７号公報
【発明の開示】
【発明が解決しようとする課題】
【０００４】
而して、上述したとおりの容器においては、（１）容器本体の口頸部から容器蓋を離脱する際には、充分容易に一対のスコアを破断することができると共に、一対のスコアの破断に応じてシェルのスコアよりも半径方向外側に位置する部位が半径方向外方に変位され容器本体の口頸部に形成されている係止突条に対するシェルの係止が充分に解除され、容器本体の口頸部から容器蓋を充分容易に離脱することができる、（２）一対のスコアの破断によって生成される破断縁に消費者の指が接触して損傷されてしまう虞が充分に回避されている、（３）容器本体内が加圧状態である場合、容器本体の口頸部が開封される初期段階において容器本体の内容物が口頸部から周囲に偶発的に飛散することが充分に防止される、等の要件が充足されることが重要である。そして、かような要件を充足するために、シェルの天面壁の内面とライナーとを、一対のスコアの第二の部分（即ち天面壁の周縁部を延びる部分）乃至これより幾分半径方向内側に位置する部位を一対のスコアの第二の部分に沿って延在する一対の第一の境界から半径方向外側の領域において非接着乃至弱接着状態にすると共に、一対のスコアの破断進行方向に見て、容器の口頸部の中心よりも上流側において一対の第一の境界間を延在する第二の境界よりも上流側において非接着乃至弱接着状態にし、その他の領域では接着状態にし、かくして（i）一対のスコアが存在する領域においてはシェルの天面にライナーが接着されておらず、従って一対のスコアの破断がライナーによって阻害されることはない、（ii）開封初期段階においては一対のスコアの破断に応じてシェルは漸次変形されるがライナーは口頸部の先端面を覆う状態に維持され、容器本体の圧力は漸次開放されるが内容物の飛散はライナーによって防止される、（iii）一対のスコアの破断が進行すると、シェルの変形に付随してライナーも変形されて上方に持ち上げられ、スコアの破断縁がライナーによって保護され、そしてまたライナーの変形に応じてシェルのスコアよりも半径方向外側に位置する部位が半径方向外方に変位され容器本体の口頸部に形成されている係止突条に対するシェルの係止解除が助長される、ようになすことが試みられている。
【０００５】
しかしながら、本発明者等の経験によれば、スコアの破断が第二の境界を越えて進行する際には、シェルの変形に付随してライナーも上方に変形されることが必要であるが、第二の境界に至るまでにシェルの破断された一対のスコア間に位置する領域は滑らかな弧状に変形する故に、第二の境界の下流側においてはシェルの天面壁の内面にライナーが接着されているにも拘わらず、ライナーはシェルから漸次剥離されて元の状態に維持され続け、シェルの変形に応じて上方に変形されない傾向があることが判明している。
【０００６】
本発明は上記事実に鑑みてなされたものであり、その主たる技術的課題は、第二の境界を越えて一対のスコアの破断が進行すると、ライナーはシェルから剥離されることなくシェルの変形に応じて充分確実に上方に変形される、新規且つ改良された容器蓋を提供することである。
【課題を解決するための手段】
【０００７】
本発明者等は鋭意検討の結果、シェルの天面壁に第二の境界に沿って延在する折り曲げ誘発手段を配設することによって上記主たる技術的課題を達成することができることを見出した。
【０００８】
即ち、本発明によれば、上記技術的課題を達成する容器蓋として、円筒状口頸部を有し、該口頸部の外周面には係止突条が形成されている容器本体のための易開封性容器蓋にして、
円形天面壁、該天面壁の周縁から垂下するスカート壁及び該スカート壁の下端から延出する把持片を含み、該天面壁及び該スカート壁と共に該把持片の少なくとも基部は金属薄板から一体に形成されており、該把持片の両側から該スカート壁を上方に延びる第一の部分と該第一の部分に続いて該天面壁の周縁部を延びる第二の部分とを有する一対のスコアが形成されているシェルと、該シェルの該天面壁の内面上で合成樹脂素材を型押成形することによって形成され、外周縁は該一対のスコアの該第二の部分よりも半径方向外側に位置する円板状ライナーとから構成され、
該シェルの該天面壁の該内面と該ライナーとは、該一対のスコアの該第二の部分乃至これより幾分半径方向内側に位置する部位を該一対のスコアの該第二の部分に沿って延在する一対の第一の境界から半径方向外側の領域において非接着乃至弱接着状態であると共に、該一対のスコアの破断進行方向に見て、容器本体の口頸部の中心よりも上流側において該一対の第一の境界間を延在する第二の境界よりも上流側において非接着乃至弱接着状態であり、その他の領域では接着状態であり、
該シェルの該天面壁には該第二の境界に沿って延在する折り曲げ誘発手段が配設されている、
ことを特徴とする易開封性容器蓋が提供される。
【０００９】
該第二の境界は、該一対のスコアの破断進行方向に見て、容器本体の口頸部の内周面よりも下流側において該一対の境界間を延在するもが好都合である。該折り曲げ誘発手段は弦状に連続して延びるスコアから構成することができる。これに代えて或いはこれに加えて弦状に連続して延びる凹条又は凸条、間隔をおいて弦状に配列された複数個の凹部又は凸部或いは弦状に連続して延びる屈折部から折り曲げ誘発手段を構成することもできる。
【発明の効果】
【００１０】
本発明の容器蓋においては、第二の境界を越えて一対のスコアの破断が進行する際に、シェルの一対のスコア間に存在する部分は折り曲げ誘発手段の誘発作用によって折り曲げられ、かくして第二の境界を越えた後においてライナーがシェルから剥離されてしまうことが充分確実に防止され、第二の境界を越えて一対のスコアの破断が進行されるとシェルの変形に付随してライナーも上方に変形される。
【発明を実施するための最良の形態】
【００１１】
以下、本発明に従って構成された易開封性容器蓋の好適実施形態を図示している添付図面を参照して、更に詳細に説明する。
【００１２】
図１及び図２を参照して説明すると、全体を番号２で示す図示の容器蓋は、シェル４とライナー６（図２）とから構成されている。
【００１３】
シェル４は円形天面壁８、この天面壁８の周縁から垂下する円筒状スカート壁１０、及びスカート壁１０の下端から延出する把持片１２を含んでいる。図２を参照することによって理解される如く、天面壁８及びスカート壁１０と共に把持片１２の基部１４は、アルミニウム基合金薄板、クロム酸処理鋼薄板又はブリキ薄板の如き適宜の金属薄板に打ち抜き加工及び絞り加工の如き適宜の機械加工を加えることによって一体に成形されている。把持片１２の基部１４の両側において、スカート壁１０の下端部には切欠１６ａ及び１６ｂが形成されている。把持片１２は上記基部１４とこれに連結されたリング状部１８とから構成されている。把持片１２のリング状部１８は、把持片１２の基部１４を所謂中子として、ポリプロピレン又はポリエチレンの如き適宜の合成樹脂材料から射出成形乃至圧縮成形することによって、成形と同時に基部１４に連結することができる。所望ならば、把持片１２の全体を、天面壁８及びスカート壁１０と共に金属薄板から一体に形成することもできる。シェル４には、更に詳しくはその金属薄板から一体に形成されている部分には、一対のスコア２０ａ及び２０ｂが形成されている。金属薄板の表面又は裏面から工具を作用せしめて厚さを低減せしめることによって形成される一対のスコア２０ａ及び２０ｂは、把持片１２の両側に形成されている上記切欠１６ａ及び１６ｂからスカート壁１０を上方に延びる第一の部分２２ａ及び２２ｂ、第一の部分２２ａ及び２２ｂに続いて天面壁８の周縁部を延びる第二の部分２４ａ及び２４ｂ、並びに第二の部分２４ａ及び２４ｂに続いて更にスカート壁１０に延出する第三の部分２６ａ及び２６ｂ（図３も参照されたい）を有する。一対のスコア２０ａ及び２０ｂの第二の部分２４ａ及び２４ｂの上流部及び中流部（図３において下部及び中間部）は天面壁８の周縁に沿って略円弧状に延び、下流部（図３において上部）は略直線状に延びている。
【００１４】
図２に図示するライナー６は、軟質ポリエチレンの如き適宜の合成樹脂素材を上記シェル４の天面壁８の内面に供給し、かかる合成樹脂素材を所要形状に型押成形することによって形成される。ライナー６は全体として円板形状であり、中央領域２８は比較的薄く、周縁領域３０は比較的厚い。ライナー６の周縁部には２条の環状突条、即ち外側環状突条３２及び内側環状突条３４が形成されている。ライナー６の外周縁は、上記一対のスコア２０ａ及び２０ｂの円弧状に延びる部分２４ａ及び２４ｂよりも半径方向外側に位置せしめられている（この点については図３を参照して後に更に言及する）。
【００１５】
図３は、シェル４の天面壁８及びスカート壁１０と共に把持片１２の基部１４を形成するための金属薄板を所要形状に打ち抜いたが未だ絞り加工を加えていない状態、換言すればシェル４の天面壁８及びスカート壁１０と共に把持片１２の基部１４を平面状に展開した状態における、金属薄板の片面、即ち天面壁８及びスカート壁１０の内面側を規定する片面を図示している。金属薄板の片面にはその全域に渡って、ライナー６に対して接着性を有する接着性塗料が施されている。金属薄板の片面には、更に、図３において高密度で黒点を施した領域において、ライナー６に対して非接着乃至弱接着性を有する非接着乃至弱接着性塗料が施されている。換言すれば、図３において黒点が施されていない白地領域は、シェル４の天面壁８の内面とライナー６とが接着状態になる接着領域であり、図３において黒点が施されている領域は、シェル４の天面壁８の内面とライナー６とが非接着乃至弱接着状態となる非接着乃至弱接着領域である。非接着乃至弱接着領域は一対の第一の境界３６ａ及び３６ｂよりも半径方向外側で且つ一対のスコア２０ａ及び２０ｂの破断進行方向（即ち図３に矢印３８で示す方向）に見て第二の境界４０よりも上流側に存在している。一対の第一の境界３６ａ及び３６ｂの各々は、一対のスコア２０ａ及び２０ｂの第二の部分２４ａ及び２４ｂに合致して或いはこれより幾分半径方向内側に位置することが重要であり、図示の実施形態においては一対のスコア２０ａ及び２０ｂの第二の部分２４ａ及び２４ｂより幾分半径方向内側に位置している。第二の境界４０は、一対のスコア２０ａ及び２０ｂの破断進行方向（即ち図３に矢印３８で示す方向）に見て、容器蓋２が適用される容器本体の口頸部（図４を参照されたい）の中心よりも上流側に、好ましくは容器本体の口頸部の内周面よりも下流側に、位置することが重要であり、図示の実施形態においては容器本体の口頸部の内周面よりも幾分下流側に位置している。
【００１６】
図１乃至図３を参照して説明を続けると、本発明に従って構成された容器蓋２においては、シェル４の天面壁８には、上記第二の境界４０に沿って、好ましくは上記第二の境界４０に合致して或いは一対のスコア２０ａ及び２０ｂの破断進行方向（図３に矢印３８で示す方向）に見て上記第二の境界４０よりも若干下流側に、折り曲げ誘発手段４２が配設されていることが重要である。図示の実施形態においては、折り曲げ誘発手段４２は、一対のスコア２０ａ及び２０ｂ間を、一対のスコア２０ａ及び２０ｂの破断進行方向（図３に矢印３８で示す方向）に対して垂直に弦状に延びるスコア４４と、このスコア４４の下流側をスコア４４に隣接してこれに平行に弦状に延びる凹条４６とから構成されている。所望ならば、スコア４４のみから或いは凹条４６のみから折り曲げ誘発手段４２を構成することもできる。また、凹条４６に代えて凸条を形成することもできる。
【００１７】
図４は容器本体４８の口頸部５０に容器蓋２を装着して口頸部５０を密封した状態を図示している。アルミニウム基合金薄板の如き金属薄板から形成されている容器本体４８は円筒状の口頸部５０を有する。この口頸部５０の外周面上端部には、外巻きカール加工を加えることによって形成された環状係止突条５１が配設されている。口頸部５０に容器蓋２を装着して口頸部５０を密封する際には、口頸部５０に容器蓋２を被嵌して下方に押圧し、ライナー６の外側環状突条３２及び内側環状突条３４を口頸部５０の上端部に密接させ、そしてスカート壁１０の下端部を半径方向内側に変形して口頸部５０の環状係止突条５１に係止する。
【００１８】
容器本体４８内に収容されている内容物を消費するために口頸部５０から容器蓋２を離脱して口頸部５０を開封する際には、容器蓋２のシェル４におけるリング状部１８に指を掛けて半径方向外方に、次いで上方に引っ張る。かくすると、図５に図示する如く、一対のスコア２０ａ及び２０ｂの第一の部分２２ａ及び２２ｂが破断され、そして更に一対のスコア２０ａ及び２０ｂの第二の部分２４ａ及び２４ｂの上流端部が破断され、一対のスコア２０ａ及び２０ｂの破断が第二の境界４０まで進行する。第二の境界４０よりも上流側においてはシェル４の天面壁８の内面に対してライナー６は非接着乃至弱接着状態であるので、一対のスコア２０ａ及び２０ｂの破断は充分容易に進行する。そして、一対のスコア２０ａ及び２０ｂの破断進行に応じてシェル２は変形されるが、ライナー６は変形されることなく元の状態に維持され続ける。例えば、容器本体４８内に飲料を充填した後に液体窒素を充填し、しかる後に口頸部５０に容器蓋２を装着して口頸部５０を密封すると、液体窒素が気化して容器本体４８内が加圧状態（即ち大気圧より高い圧力状態）になるが、図５に示す状態になると、ライナー６が局部的に微細に変形して口頸部５０から離隔し、これによって容器本体４８内の加圧状態が開放される。この際には、ライナー６は微細に変形するがシェル４の変形に付随して口頸部５０から大きく離隔することはなく、内容物の飛散はライナー６によって充分確実に防止される故に、加圧状態の開放に伴って内容物が周囲に飛散することはない。一対のスコア２０ａ及び２０ｂの破断を進行するためにシェル４のリング状部１８を更に引っ張ると、シェル４の天面壁８に配設されている折り曲げ誘発手段４２の存在に起因して、図６に図示する如く折り曲げ誘発手段４２のスコア４４に沿ってシェル４が折り曲げられる。しかる後に、一対のスコア２０ａ及び２０ｂの破断が更に進行するが、この際には折り曲げ誘発手段４２の存在に起因してシェル４が第二の境界４０に沿って配置されたスコア４４に沿って折り曲げられている故に、第二の境界４０よりも下流側においてシェル4の変形に起因してライナー６がシェル４の天面壁８の内面から剥離されてしまうことはなく、図７に図示する如く、シェル４の変形に付随してライナー６も上方に変形され、従って一対のスコア２０ａ及び２０ｂの破断に起因して上方に変位した、シェル４の天面壁８における一対のスコア２０ａ及び２０ｂ間の部分の破断縁は上方に変位したライナー６によって下方から覆われることになり、消費者の指が上記破断縁に触れて損傷されてしまうことが効果的に防止される。加えて、ライナー６の上方への変形によって、シェル４の一対のスコア２０ａ及び２０ｂよりも半径方向外側の部位が半径方向外方に変位され、容器本体４８の口頸部５０の外周面に形成されている係止突条５１に対するシェル4の係止解除が助長される。一対のスコア２０ａ及び２０ｂの破断が更に進行し第二の部分２４ａ及び２４ｂの下流端或いは第三の部分２６ａ及び２６ｂの上流端部に達すると、係止突条５１に対するシェル４の係止が充分に解除され、容器蓋2の全体が容器本体４８の口頸部５０から離脱され、口頸部４８が開封される。
【００１９】
図８は、本発明に従って構成された容器蓋の他の実施形態を図示している。図８に図示する実施形態においては、折り曲げ誘発手段４２は、一対のスコア２０ａ及び２０ｂ間を、一対のスコア２０ａ及び２０ｂの破断進行方向（図３に矢印３８で示す方向）に対して垂直に弦状に延びるスコア４４と、このスコア４４の下流側にスコア４４に隣接して弦状に配列された３個の凹部５２から構成されている。３個の凹部５２はスコア４４の延在方向に間隔をおいて配列されており、凹部５２の各々は略半球形状である。凹部５２に代えて凸部を形成することもできる。図８に図示する容器蓋２の折り曲げ誘発手段４２の構成以外は、図１乃至図７に図示する容器蓋２と実質上同一である。
【００２０】
図９は、本発明に従って構成された容器蓋２の更に他の実施形態を図示している。図９に図示する実施形態においては、シェル４の天面壁８の中央領域に没入部５４が形成されている。没入部５４の、一対のスコア２０ａ及び２０ｂの破断進行方向（図３に矢印３８で示す方向）の上流側縁を規定している屈曲部５６は、一対のスコア２０ａ及び２０ｂの破断進行方向に対して垂直に直線状に延びており、かかる屈曲部５６が折り曲げ誘発手段４２を構成している。没入部５４の上流側縁以外の縁は円弧状に延びている。図９に図示する実施形態の上述した構成以外の構成は、図１乃至図７に図示する容器蓋２と実質上同一である。
【図面の簡単な説明】
【００２１】
【図１】本発明に従って構成された容器蓋の好適実施形態を示す斜面図。
【図２】図１の容器蓋の断面図。
【図３】図１の容器蓋におけるシェルの天面壁の内面とライナーとの相互関係を示すためのシェルの展開図。
【図４】図１の容器蓋を容器本体の口頸部に装着した状態を示す断面図。
【図５】容器本体の口頸部に装着された図１の容器蓋を、口頸部から離脱するために容器蓋のシェルの一対のスコアの初期破断を遂行した状態を示す断面図。
【図６】図５に示す状態から一対のスコアの破断を更に幾分か進行し、折り曲げ誘発手段の存在に起因してシェルが折り曲げられた状態を示す断面図。
【図７】図６に図示する状態から一対のスコアの破断を更に幾分か進行した状態を示す斜面図。
【図８】本発明に従って構成された容器蓋の他の実施形態を示す斜面図。
【図９】本発明に従って構成された容器蓋の更に他の実施形態を示す斜面図。
【符号の説明】
【００２２】
２：容器蓋
４：シェル
６：ライナー
８：天面壁
１０：スカート壁
１２：把持片
２０ａ及び２０ｂ：一対のスコア
２２ｂ及び２２ｂ：一対のスコアの第一の部分
２４ａ及び２４ｂ：一対のスコアの第二の部分
３６ａ及び３６ｂ：第一の境界
４０：第二の境界
４２：折り曲げ誘発手段
４４：スコア
４６：凹条
４８：容器本体
５０：口頸部
５２：凹部
５６：屈折部
【図１】
2008174266.tif 000003
【図２】
2008174266.tif 000004
【図３】
2008174266.tif 000005
【図４】
2008174266.tif 000006
【図５】
2008174266.tif 000007
【図６】
2008174266.tif 000008
【図７】
2008174266.tif 000009
【図８】
2008174266.tif 000010
【図９】
2008174266.tif 000011